(57)【要約】【課題】  完全に故障のため使用不可能となる前に予防交換できるようにするストレージ装置内のディスク故障予知装置を提供することを目的とする。【解決手段】  ディスク装置のエラー発生毎に発生したシリンダ、ヘッド、セクタ情報を格納するエラー情報格納手段と、格納されたエラー情報から同一ヘッドのエラーを抽出する同一ヘッドエラー抽出手段と、抽出されたエラー情報のシリンダ、セクタに基づき、媒体上の故障位置を特定する故障位置特定手段と、特定された故障位置を基に故障位置の連続性の有無をチェックする連続性チェック手段と、連続性が有るときには、ディスク不良を通知するディスク不良通知手段とを有するストレージ装置内のディスク故障予知装置。【選択図】  図１
2006120262.tif 000002
【特許請求の範囲】
【請求項１】
ストレージ装置に搭載されるディスク装置のシリンダ、ヘッドの各エラー件数が所定の閾値以上のときには、故障と判断するストレージ装置内のディスク故障予知装置において、
ディスク装置のエラー発生毎に取得されたシリンダ、ヘッド、セクタ情報を格納するエラー情報格納手段と、
格納されたエラー情報から同一ヘッドのエラー情報を抽出する同一ヘッドエラー抽出手段と、
抽出されたエラー情報のシリンダ、セクタに基づき、媒体上の故障位置を特定する故障位置特定手段と、
特定された故障位置を基に故障位置の連続性の有無をチェックする連続性チェック手段と、
連続性が有るときには、ディスク装置不良を通知するディスク装置不良通知手段とを有することを特徴とするストレージ装置内のディスク故障予知装置。
【請求項２】
連続性チェック手段は、
故障位置数が所定の閾値以上か否かを判定する故障位置数判定手段と、
閾値以上の数があるときには、所定の故障位置を基に隣接する故障位置を連続線で連結する連続線生成手段と、
連続線が所定のシリンダ数以内か否かを判定する連続線シリンダ数判定手段と、
連続線が所定の故障位置を基点に所定の角度以内に包含されるか否かを判定する角度判定手段と、
連続線が所定の故障位置数以上か否かを判定する連続線故障位置数判定手段と、
シリンダ数が所定数以下であり、かつ角度が所定の角度以下であり、かつ連続線が所定の故障位置数以上のときには、連続性ありと判断する連続性判断手段とを有することを特徴とする請求項１記載のストレージ装置内のディスク故障予知装置。
【請求項３】
ストレージ装置に搭載されるディスク装置のシリンダ、ヘッドの各エラー件数が所定の閾値以上のときには、故障と判断するストレージ装置内のディスク故障予知装置において、
ディスク装置のエラー発生毎に取得されたシリンダ、ヘッド、セクタ情報を格納するエラー情報格納手段と、
ディスクのシリンダとゾーンを対応付けたデータを格納するゾーンデータ格納手段と、
格納されたエラー情報から同一ヘッドのエラーを抽出する同一ヘッドエラー抽出手段と、
エラー情報のシリンダ情報とゾーンデータからシリンダの属するゾーンを決定するゾーン決定手段と、
決定されたゾーンでのエラー発生件数をエラー情報から取得するエラー件数取得手段と、
取得されたエラー件数が所定の閾値以上のときには、ディスク装置不良を通知するディスク装置不良通知手段とを有するストレージ装置内のディスク故障予知装置。
【請求項４】
ストレージ装置に搭載されるディスク装置のシリンダ、ヘッドの各エラー件数が所定の閾値以上のときには、故障と判断するストレージ装置内のディスク故障予知方法において、
ディスク装置のエラー発生毎に取得されたシリンダ、ヘッド、セクタ情報を格納するエラー情報格納ステップと、
格納されたエラー情報から同一ヘッドのエラー情報を抽出する同一ヘッドエラー抽出ステップと、
抽出されたエラー情報のシリンダ、セクタに基づき、媒体上の故障位置を特定する故障位置特定ステップと、
特定された故障位置を基に故障位置の連続性の有無をチェックする連続性チェックステップと、
連続性が有るときには、ディスク装置不良を通知するディスク装置不良通知ステップとを有することを特徴とするストレージ装置内のディスク故障予知方法。
【請求項５】
ストレージ装置に搭載されるディスク装置のシリンダ、ヘッドの各エラー件数が所定の閾値以上のときには、故障と判断するストレージ装置内のディスク故障予知プログラムにおいて、
ディスク装置のエラー発生毎に取得されたシリンダ、ヘッド、セクタ情報を格納するエラー情報格納ステップと、
格納されたエラー情報から同一ヘッドのエラー情報を抽出する同一ヘッドエラー抽出ステップと、
抽出されたエラー情報のシリンダ、セクタに基づき、媒体上の故障位置を特定する故障位置特定ステップと、
特定された故障位置を基に故障位置の連続性の有無をチェックする連続性チェックステップと、
連続性が有るときには、ディスク装置不良を通知するディスク装置不良通知ステップとをコンピュータに実行させるためのストレージ装置内のディスク故障予知プログラム。
【発明の詳細な説明】
【技術分野】
【０００１】
本発明は、ストレージ装置に搭載されるディスク装置の故障を予知するストレージ装置内のディスク故障予知装置に関する。
【背景技術】
【０００２】
24時間、365日稼動するストレージ製品は、ユーザの膨大なデータを保管し、いかなる場合も、データ欠落又はマシンダウンが許されない状況にある。
【０００３】
また、近年は顧客ニーズにより、膨大なデータ量を扱うようになり、ストレージ製品には小型で多くのハードディスクを搭載する必要が出てきた。
【０００４】
しかしその反面、ハードディスクの故障台数も増え、データ保障を目的とする多重化構造でも、ハードディスクの故障が多発すると、顧客のデータを欠落してしまうため、故障予知を充実する必要が要求される。
【０００５】
現在のストレージ製品は、ハードディスクに対してライト、リードした時に、ハードディスクから返答されるステータス情報で、正常終了したか、或いは異常終了したかを判断している。異常終了した場合は、リトライも実施している。
【０００６】
この時、即ハードディスク故障とはせずに、リトライで正常終了した場合は、そのまま継続してハードディスクを使用しているが、規定時間内に複数回ハードディスクから異常応答があった場合は、故障と見なし、そのハードディスクを使用禁止にする。（例えば特許文献１）。
【０００７】
このとき、多重構造のための同じデータが書き込まれている他ハードディスクより、予め搭載されている予備のハードディスクへデータを複写し、規定の多重構造を保持する仕組みとなっている。
【特許文献１】特開平０５−３２４２１３号公報（第３頁〜第４頁、図１）
【発明の開示】
【発明が解決しようとする課題】
【０００８】
この現状の機能では、ハードディスクからの異常応答直後にエラーの種類と場所(Logical Block Address)を採取し、ある規定時間内でのエラーの種類に割り当てた点数の算出等により、所定の閾値を越えたか否かで良否の判断をしている。
【０００９】
つまりエラーした場所に関連する各種情報を良否の判断材料に含めていないため、進行性のある今後故障となるハードディスクがそのまま使用されることになる。
【００１０】
本発明は、この進行性のある今後故障となるハードディスクを予知し、故障のため使用不可能となる前に予防交換できるようにするストレージ装置内のディスク故障予知装置を提供することを目的とする。
【課題を解決するための手段】
【００１１】
本発明のストレージ装置内のディスク故障予知装置は、ディスク装置のシリンダ、ヘッドの各エラー件数が所定の閾値以上のときには、故障と判断するストレージ装置内のディスク故障予知装置において、ディスク装置のエラー発生毎に取得されたシリンダ、ヘッド、セクタ情報を格納するエラー情報格納手段と、格納されたエラー情報から同一ヘッドのエラー情報を抽出する同一ヘッドエラー抽出手段と、抽出されたエラー情報のシリンダ、セクタに基づき、媒体上の故障位置を特定する故障位置特定手段と、特定された故障位置を基に故障位置の連続性の有無をチェックする連続性チェック手段と、連続性が有るときには、ディスク装置不良を通知するディスク装置不良通知手段とを有する構成である。
【００１２】
この構成により、ディスクに発生した傷等の連続性ある障害を検出することができるので、ディスク装置について、予防交換が可能となる。
【００１３】
また、連続性チェック手段は、故障位置数が所定の閾値以上か否かを判定する故障位置数判定手段と、閾値以上の数があるときには、所定の故障位置を基に隣接する故障位置を連続線で連結する連続線生成手段と、連続線が所定のシリンダ数以内か否かを判定する連続線シリンダ数判定手段と、連続線が所定の故障位置を基点に所定の角度以内に包含されるか否かを判定する角度判定手段と、連続線が所定の故障位置数以上か否かを判定する連続線故障位置数判定手段と、シリンダ数が所定数以下であり、かつ角度が所定の角度以下であり、かつ連続線が所定の故障位置数以上のときには、連続性ありと判断する連続性判断手段とを有する構成である。
【００１４】
この構成により、傷等の連続性ある故障についての発見が可能となる。
【００１５】
ディスク装置のシリンダ、ヘッドの各エラー件数が所定の閾値以上のときには、故障と判断するストレージ装置内のディスク故障予知装置において、ディスク装置のシリンダ、ヘッドの各エラー件数が所定の閾値以上のときには、故障と判断するディスク故障検出方法において、ディスク装置のエラー発生毎に取得されたシリンダ、ヘッド、セクタ情報を格納するエラー情報格納手段と、ディスクのシリンダとゾーンを対応付けたデータを格納するゾーンデータ格納手段と、格納されたエラー情報から同一ヘッドのエラーを抽出する同一ヘッドエラー抽出手段と、エラー情報のシリンダ情報からシリンダの属するゾーンを決定するゾーン決定手段と、決定されたゾーンでのエラー発生件数をエラー情報から取得するエラー件数取得手段と、取得されたエラー件数が所定の閾値以上のときには、ディスク装置不良を通知するディスク装置不良通知手段とを有する構成である。
【００１６】
この構成により、ゾーン集中型の故障発生について、ディスクの良否を判定できるので、ディスク装置について、予防交換が可能となる。
【００１７】
これらの処理は、コンピュータを使用してプログラムにより構成することもできる。
【発明の効果】
【００１８】
本発明により、ディスク装置が故障のため使用不可能となる前に予防交換することが可能となる。
【発明を実施するための最良の形態】
【００１９】
【実施例】
【００２０】
ストレージ装置(図示せず)は、ストレージ制御装置(図示せず)とディスク装置１１を有する。
ホスト(図示せず)からのライトデータは、ストレージ装置のストレージ制御装置を経て、ディスク装置１１にライトされる。
【００２１】
また、ディスク装置１１からの読取りデータは、ストレージ制御装置を経てホストに送信される。
【００２２】
そして、このようなストレージシステムの中で、ストレージ装置内のディスク故障予知装置１は、ストレージ制御装置の一部として、ディスクの故障管理を行なっている。
【００２３】
図１に、実施例のストレージ装置内のディスク故障予知装置の構成図を示す。
ストレージ装置内のディスク故障予知装置１は、エラー検出部２とシリンダ規格チェック部３とヘッド規格チェック部４とゾーン規格チェック部５と連続性規格チェック部６と、良否判定部７と良否結果通知部８とを有する。
【００２４】
エラー検出部２は、ディスク装置１１からのエラー情報を検出する。
【００２５】
シリンダ規格チェック部３は、シリンダにおけるエラー件数が、許容エラー件数以内か否かをチェックする。
【００２６】
ヘッド規格チェック部４は、ヘッドにおけるエラー件数が、許容エラー件数以内か否かをチェックする。
【００２７】
ゾーン規格チェック部５は、ゾーンにおけるエラー件数が、許容エラー件数以内か否かをチェックする。
【００２８】
連続性規格チェック部６は、連続性の有無をチェックする。
【００２９】
良否判定部７は、各規格部の規格チェック結果により、ディスク装置１１の良否を判断する。
【００３０】
良否結果通知部８は、ディスク装置１１の良否を判断した結果を通知する。
【００３１】
図２に、実施例のストレージ装置内のディスク故障予知装置の処理の流れ図を示す。
まず、ディスク装置１１からのエラー情報をエラー検出部２が取得する(S1ステップ)。
このとき、エラー発生のシリンダとヘッドとセクタ情報を取得する。
そして、取得したエラー情報をエラー蓄積テーブルに格納する。
【００３２】
図３に、エラー蓄積テーブルの説明図を示す。
エラー蓄積テーブルに格納される情報としては、各ディスク装置１１のエラー(Ｅｒｒ)毎に、エラー内容、エラー論理ブロックアドレス、エラーシリンダ、エラーヘッド、エラーセクタ、媒体エラー位置(角度)がある。
【００３３】
次に、シリンダ規格チェック部３が、エラー発生した１シリンダ当たりの規格をチェックする(S2ステップ)。
【００３４】
図４にディスク管理テーブルとディスク良否判定規格例の説明図を示す。
図４(a)は、ディスク管理テーブルを示す。
ディスクＡのシリンダ、ゾーン、ヘッド、セクタ等の基本情報を格納している。
【００３５】
図４(b)は、ディスク良否判定規格例を示す。
１シリンダ当たり回復可能なエラーの場合は、例えば５回を超えると不良と判定する。
回復不可のエラーなら例えば２回を超えると不良と判定する。
規格を越えている場合には、不良と判定し、S12ステップへ行く(S3ステップ)。
【００３６】
次にシリンダが不良でないときには、ヘッド規格チェック部４が、エラー発生した１ヘッド当たりの規格をチェックする(S4ステップ)。
１ヘッド当たり回復可能なエラーの場合は、例えば１００回を超えると不良と判定する。
回復不可のエラーなら例えば１０回を超えると不良と判定する。
規格を越えている場合には、不良と判定し、S12ステップへ行く(S5ステップ)。
【００３７】
次にヘッドが不良でないときには、ゾーン規格チェック部５が、エラー発生した１ゾーン当たりの規格をチェックする(S6ステップ)。
１ゾーン当たり回復可能なエラーの場合は、例えば４０回を超えると不良と判定する。
回復不可のエラーなら例えば１０回を超えると不良と判定する。
規格を越えている場合には、不良と判定し、S12ステップへ行く(S7ステップ)。
【００３８】
図５にゾーン集中型のエラーの説明図を示す。
ゾーン集中型は、あるゾーンのみエラーが多発する傾向にある場合をいう。
この例の場合は、ヘッド１(ＨＤ=１)にエラー(黒点)が集中している。
【００３９】
次にゾーンが、不良でないときには、連続性規格チェック部６が、エラー発生した部分の連続性のチェックを行なう(S8ステップ)。
【００４０】
図６に連続性チェック処理の流れ図を示す。
まず、エラー検出したディスク装置１１のエラー情報について、エラー蓄積テーブルの格納場所を検索する(S21ステップ)。
【００４１】
そのディスク装置１１について、エラー情報を全検索完了したか否かを判定する(S22ステップ)。
全検索完了していないならば、直前のエラー情報を取得する(S23ステップ)。
直前のエラー発生したヘッドとエラー発生したヘッドが、同一ヘッドか否かを判定する(S24ステップ)。
【００４２】
同一ヘッドでないならば、Ｓ２２ステップへ戻る。
同一ヘッドの場合には、エラー蓄積情報テーブルのエラーシリンダ、ヘッド、セクタを基に、インデックスからの角度を算出し、媒体エラー位置として再度エラー蓄積テーブルへ格納し、Ｓ２２ステップへ戻る(S25ステップ)。
【００４３】
図７に媒体エラー位置情報例の説明図を示す。
故障位置をインデックスを角度０度とした左回りの角度の座標位置として表す。
【００４４】
例えば、エラーが発生するとシリンダとヘッド情報を基に、Err１の位置を算出する。
【００４５】
例えば、ディスクＡのシリンダ０、ヘッド０、セクタ２００でエラー発生したときに、セクタ２００のＩｎｄｅｘからの角度が１８０°と算出されれば、Err１の媒体エラー位置として、１８０の値が格納される。
同様の算出により、例えばErr２として、１８５が格納される。
【００４６】
エラー発生したディスク装置１１の同一ヘッドについてのエラー蓄積情報テーブルに蓄積されているエラー情報の全検索が完了したら、最低判定数以上か否かを判定する(S26ステップ)。
【００４７】
図８に連続性確認時の規格例の説明図を示す。
ディスクＡの例では、最低判定数は５０個、連続線上の幅は１００シリンダ及び５度、連続枠内最小エラー数は、２０個以上としてある。
【００４８】
そして、最低判定数以上でないときには、良品と判断し(S33ステップ)、処理を終了する。
最低判定数以上ならば、シリンダとインデックスとの角度から座標を作成する(S27ステップ)。
【００４９】
図９に連続線の説明図１を示す。
エラー蓄積テーブルを基に作成された座標例である。
これを基に、ディスクＡの例の連続線上の幅の説明を示す。
黒丸がエラー発生箇所の故障位置である。
【００５０】
まず、座標上の最初の故障位置Errmから隣接する故障位置を連結していき、連続線を生成する。隣接しないErra、Errbのような点は、連結されない。
【００５１】
次に、連結が終わると、最初の故障位置Errmの基点から連続線が包含される直線を引き、その角度、すなわち連続線上の幅(B)が、例えば５度以内を確認する。
【００５２】
次に、連続線上の幅(A)のシリンダ数を示すＣｙｎ−Ｃｙ１が例えば１００シリンダ以内か否かを確認する (S28ステップ)。
【００５３】
連続性の有無を確認する(S29ステップ)。
連続性がないならば、S33ステップへ行く。
連続性ありならば、連続枠内のエラー数が規格「連続枠内の最小エラー数」以上かを確認する(S30ステップ)。
【００５４】
次に規格数以上か否かを確認する(S31ステップ)。
規格数以上でないならば、S33ステップへ行く。
規格数以上ならば不良品と判断する(S32ステップ)。
【００５５】
図１０に、連続性の説明図２を示す。
ヘッド０〜３(ＨＤ＝０〜３)に黒丸で示す故障位置の数をＣＮＴで示している。
ＨＤ＝０が、ＣＮＴ＝５３で、ＨＤ＝１がＣＮＴ＝４１で、ＨＤ＝２がＣＮＴ=０、ＨＤ＝３がＣＮＴ=０である。この例では、ＨＤ＝０の故障位置数が、最低判定数の５０を越えているため、連続性エラーが発生している可能性がある。
【００５６】
次に連続性チェックの結果が不良と判断したか否かを確認する(図２のS9ステップ)。
不良の場合には、S12ステップに行く。
次に、その他のチェックを行なう(S10ステップ)。
不良と判断したか否かを確認する(S11ステップ)。
良品と判断した場合には、処理を終了する。
不良の場合には、不良処理を行なう(S12ステップ)。
【００５７】
不良処理では、良否結果通知部８が、ディスク装置不良通知をオペレータに知らせるため、該当ディスク装置１１の交換指示をストレージ制御装置のディスプレイ等に通知する。
【００５８】
また、自動的に予備ディスクに交換するため、ストレージ制御装置のディスク装置の交換制御部(図示せず)に通知をすることもできる。
良品の判断の場合には、特に通知はしない。
【００５９】
以上により、ディスク装置が故障のため使用不可能となる前に予防交換することが可能となる。
【００６０】
以上の実施例１を含む実施形態に関し、更に以下の付記を開示する。
【００６１】
（付記１）ディスク装置のシリンダ、ヘッドの各エラー件数が所定の閾値以上のときには、故障と判断するストレージ装置内のディスク故障予知装置において、ディスク装置のエラー発生毎に取得されたシリンダ、ヘッド、セクタ情報を格納するエラー情報格納手段と、格納されたエラー情報から同一ヘッドのエラー情報を抽出する同一ヘッドエラー抽出手段と、抽出されたエラー情報のシリンダ、セクタに基づき、媒体上の故障位置を特定する故障位置特定手段と、特定された故障位置を基に故障位置の連続性の有無をチェックする連続性チェック手段と、連続性が有るときには、ディスク装置不良を通知するディスク装置不良通知手段とを有することを特徴とするストレージ装置内のディスク故障予知装置。
【００６２】
（付記２）連続性チェック手段は、故障位置数が所定の閾値以上か否かを判定する故障位置数判定手段と、閾値以上の数があるときには、所定の故障位置を基に隣接する故障位置を連続線で連結する連続線生成手段と、連続線が所定のシリンダ数以内か否かを判定する連続線シリンダ数判定手段と、連続線が所定の故障位置を基点に所定の角度以内に包含されるか否かを判定する角度判定手段と、連続線が所定の故障位置数以上か否かを判定する連続線故障位置数判定手段と、シリンダ数が所定数以下であり、かつ角度が所定の角度以下であり、かつ連続線が所定の故障位置数以上のときには、連続性ありと判断する連続性判断手段とを有することを特徴とする付記１記載のストレージ装置内のディスク故障予知装置。
【００６３】
（付記３）ディスク装置のシリンダ、ヘッドの各エラー件数が所定の閾値以上のときには、故障と判断するストレージ装置内のディスク故障予知装置において、ディスク装置のエラー発生毎に取得されたシリンダ、ヘッド、セクタ情報を格納するエラー情報格納手段と、  ディスクのシリンダとゾーンを対応付けたデータを格納するゾーンデータ格納手段と、格納されたエラー情報から同一ヘッドのエラーを抽出する同一ヘッドエラー抽出手段と、エラー情報のシリンダ情報からシリンダの属するゾーンを決定するゾーン決定手段と、決定されたゾーンでのエラー発生件数をエラー情報から取得するエラー件数取得手段と、取得されたエラー件数が所定の閾値以上のときには、ディスク装置不良を通知するディスク装置不良通知手段とを有するストレージ装置内のディスク故障予知装置。
【００６４】
（付記４）ディスク装置のシリンダ、ヘッドの各エラー件数が所定の閾値以上のときには、故障と判断するストレージ装置内のディスク故障予知方法において、ディスク装置のエラー発生毎に取得されたシリンダ、ヘッド、セクタ情報を格納するエラー情報格納ステップと、格納されたエラー情報から同一ヘッドのエラー情報を抽出する同一ヘッドエラー抽出ステップと、抽出されたエラー情報のシリンダ、セクタに基づき、媒体上の故障位置を特定する故障位置特定ステップと、特定された故障位置を基に故障位置の連続性の有無をチェックする連続性チェックステップと、連続性が有るときには、ディスク装置不良を通知するディスク装置不良通知ステップとを有することを特徴とするストレージ装置内のディスク故障予知方法。
【００６５】
（付記５）ディスク装置のシリンダ、ヘッドの各エラー件数が所定の閾値以上のときには、故障と判断するストレージ装置内のディスク故障予知プログラムにおいて、ディスク装置のエラー発生毎に取得されたシリンダ、ヘッド、セクタ情報を格納するエラー情報格納ステップと、格納されたエラー情報から同一ヘッドのエラー情報を抽出する同一ヘッドエラー抽出ステップと、抽出されたエラー情報のシリンダ、セクタに基づき、媒体上の故障位置を特定する故障位置特定ステップと、特定された故障位置を基に故障位置の連続性の有無をチェックする連続性チェックステップと、連続性が有るときには、ディスク装置不良を通知するディスク装置不良通知ステップとをコンピュータに実行させるためのストレージ装置内のディスク故障予知プログラム。
【００６６】
（付記６）ディスク装置のシリンダ、ヘッドの各エラー件数が所定の閾値以上のときには、故障と判断するストレージ装置内のディスク故障予知装置を有するストレージ制御装置において、ストレージ装置内のディスク故障予知装置がディスク装置のエラー発生毎に取得されたシリンダ、ヘッド、セクタ情報を格納するエラー情報格納手段と、格納されたエラー情報から同一ヘッドのエラー情報を抽出する同一ヘッドエラー抽出手段と、抽出されたエラー情報のシリンダ、セクタに基づき、媒体上の故障位置を特定する故障位置特定手段と、特定された故障位置を基に故障位置の連続性の有無をチェックする連続性チェック手段と、連続性が有るときには、ディスク装置不良を通知するディスク装置不良通知手段とを有することを特徴とするストレージ制御装置。
【産業上の利用可能性】
【００６７】
本発明は、ストレージ製品の故障のため使用不可能となる前に予防交換することが可能となるストレージ装置内のディスク故障予知装置を提供する用途に適用できる。
【図面の簡単な説明】
【００６８】
【図１】実施例のストレージ装置内のディスク故障予知装置の構成図
【図２】ストレージ装置内のディスク故障予知装置の処理の流れ図
【図３】エラー蓄積テーブルの説明図
【図４】ディスク管理テーブル及び良否判定規格例の説明図
【図５】ゾーン集中型のエラー説明図
【図６】連続性チェック処理の流れ図
【図７】媒体エラー位置情報例の説明図
【図８】連続性確認時の規格例の説明図
【図９】連続性の説明図１
【図１０】連続性の説明図２
【符号の説明】
【００６９】
１      ストレージ装置内のディスク故障予知装置
２      エラー検出部
３      シリンダ規格チェック部
４      ヘッド規格チェック部
５      ゾーン規格チェック部
６      連続性規格チェック部
７      良否判定部
８      良否結果通知部
１１      ディスク装置
【図１】
2006120262.tif 000003
【図２】
2006120262.tif 000004
【図３】
2006120262.tif 000005
【図４】
2006120262.tif 000006
【図５】
2006120262.tif 000007
【図６】
2006120262.tif 000008
【図７】
2006120262.tif 000009
【図８】
2006120262.tif 000010
【図９】
2006120262.tif 000011
【図１０】
2006120262.tif 000012